(57)【要約】　　　（修正有）【課題】浴槽中にアロマ気泡を発生するアロマ気泡発生装置の提供。【解決手段】ケース１、該ケース内部に配置されたバルブ４、該ケース内部に配置されて該バルブに組み付けられる弾性体５、該ケース内部に配置されてバルブの一端に位置する挟持機構６を具え、組立完成後に送風装置に連接され、該送風装置がケースの一端より風を送り込んでバルブを押し開く時、挟持機構により挟持されたアロマシートのアロマ成分がケースのもう一端より送出されて、浴槽中に香りを有するアロマ気泡を発生させ、マッサージとアロマ効果を達成する。【選択図】　　　　図２
0003099664.tif 000002
【実用新案登録請求の範囲】
【請求項１】
　アロマ気泡発生装置において、該アロマ気泡発生装置は送風装置に接続されて送風装置の送風を受けてアロマ付帯する気泡を浴槽中に発生させてマッサージとアロマ機能を達成し、
　ケースと、
　該ケース内部に配置されたバルブと、
　該ケース内部に配置されて該バルブに組み付けられる弾性体と、
　該ケース内部に配置されて該バルブの一端に位置する挟持機構とを具え、
　該送風装置が送風する時、風が該ケースの一端より進入して該バルブを押し開き、挟持機構の挟持するアロマシートのアロマ成分がケースのもう一端より送出されることを特徴とする、アロマ気泡発生装置。
【請求項２】
　請求項１記載のアロマ気泡発生装置において、ケースが前半部と後半部で組成されたことを特徴とする、アロマ気泡発生装置。
【請求項３】
　請求項１記載のアロマ気泡発生装置において、ケースの前半部に内管が設けられ、該内管が中空状を呈するチャネルを具え、該内管を囲むように外管が設けられ、該外管の一端に組み付け部が設けられて該内管との間に接合部が形成されたことを特徴とする、アロマ気泡発生装置。
【請求項４】
　請求項３記載のアロマ気泡発生装置において、外管の一端に組み付け部が設けられ、この組み付け部内に前述のチャネルと連通する作動空間が形成され、この作動空間にストッパ部が形成され、該ストッパ部に貫通孔を具えた凹部が設けられたことを特徴とする、アロマ気泡発生装置。
【請求項５】
　請求項２記載のアロマ気泡発生装置において、ケースの後半部に管部が設けられ、この管部の一端に組み付け部が設けられ、該管部内に収容空間が設けられ、この後半部の組み付け部内に管部内の収容空間と連通する作動空間が設けられ、この収容空間と作動空間の間に放置部があり、該放置部とバルブの間に防水リング設置されたことを特徴とする、アロマ気泡発生装置。
【請求項６】
　請求項１記載のアロマ気泡発生装置において、バルブがバルブ片を具え、該バルブ片の一端面に複数の仕切り板が設けられ、バルブ片の別端面に凸部が設けられ、該凸部内に凹部が設けられ、この凹部内にガイドロッド部が設けられたことを特徴とする、アロマ気泡発生装置。
【請求項７】
　請求項１記載のアロマ気泡発生装置において、弾性体がバネとされたことを特徴とする、アロマ気泡発生装置。
【請求項８】
　請求項１記載のアロマ気泡発生装置において、挟持機構の二つの片体の射出成形時に二つの片体の一端が接合され、これにより二つの片体の間にアロマシートを挟持する挟持機構が形成されたことを特徴とする、アロマ気泡発生装置。
【考案の詳細な説明】
【技術分野】
【０００１】
　本考案は一種のアロマ気泡発生装置に係り、特に、送風装置に連接され、並びに内部に取り付けられたアロマシートのアロマ成分を浴槽中に送りアロマ気泡を発生させ、マッサージ浴槽とアロマ効果を達成する、アロマ気泡発生装置に関する。
【背景技術】
【０００２】
　ＳＰＡ（スパ）は大自然より湧き出る泉につかり、自然の滝にうたれて身体のツボを刺激して治療を行なうと共に、心身を自然の力で清めて爽快とし、生命力を補充する、というトルコに古くから伝わる水浴概念を源としている。ＳＰＡはＳｏｌｕｓＰａｒ　Ａｑｕａが語源で健康な水の意味である。ＳＰＡは早期には温泉或いはミネラル泉地域で使用されているだけであったが、現代では一般に美容やリラクゼーション目的に、ＳＰＡ療法が組み合わされ、按摩或いは美容、スキンケア、温泉療法に関わらず、ストレスを開放し、心身をリラックスさせるための活動がＳＰＡと称されている。
【０００３】
　現在ＳＰＡ活動は専業の場所で行なわれるほか、家庭内でも行なわれている。このため多くの業者は浴槽或いはシャワー設備に複数のノズルヘッドを増設し、ノズルヘッドより噴出する水柱で身体のツボを刺激して水の治療が受けられるようにしたり、水圧を浴槽の水中に注入して気泡を発生させて、気泡によりマッサージ効果を発生させるようにしている。
【０００４】
　また、マッサージ浴槽を使用する時、浴槽中に香油が加えられることがあるが、香油は水に溶けないため、水面に浮き上がり、マッサージを終えた後で、身体に香油の油分が付着し、使用者に効果が不良である感じを与えたり、香油が浴槽に付着して洗浄しにくくなったり、水汚染の環境問題を形成する。
【考案の開示】
【考案が解決しようとする課題】
【０００５】
　本考案の主要な目的は、上述の従来の技術の欠点を解決したアロマ気泡発生装置を提供することにある。それは、アロマシートを収容し、送風装置と連接された後に、アロマシートのアロマ成分を浴槽中に送出し、アロマ気泡を水中で発生することができる装置とする。
【課題を解決するための手段】
【０００６】
　請求項１の考案は、アロマ気泡発生装置において、該アロマ気泡発生装置は送風装置に接続されて送風装置の送風を受けてアロマ付帯する気泡を浴槽中に発生させてマッサージとアロマ機能を達成し、
　ケースと、
　該ケース内部に配置されたバルブと、
　該ケース内部に配置されて該バルブに組み付けられる弾性体と、
　該ケース内部に配置されて該バルブの一端に位置する挟持機構とを具え、
　該送風装置が送風する時、風が該ケースの一端より進入して該バルブを押し開き、挟持機構の挟持するアロマシートのアロマ成分がケースのもう一端より送出されることを特徴とする、アロマ気泡発生装置としている。
　請求項２の考案は、請求項１記載のアロマ気泡発生装置において、ケースが前半部と後半部で組成されたことを特徴とする、アロマ気泡発生装置としている。
　請求項３の考案は、請求項１記載のアロマ気泡発生装置において、ケースの前半部に内管が設けられ、該内管が中空状を呈するチャネルを具え、該内管を囲むように外管が設けられ、該外管の一端に組み付け部が設けられて該内管との間に接合部が形成されたことを特徴とする、アロマ気泡発生装置としている。
　請求項４の考案は、請求項３記載のアロマ気泡発生装置において、外管の一端に組み付け部が設けられ、この組み付け部内に前述のチャネルと連通する作動空間が形成され、この作動空間にストッパ部が形成され、該ストッパ部に貫通孔を具えた凹部が設けられたことを特徴とする、アロマ気泡発生装置としている。
　請求項５の考案は、請求項２記載のアロマ気泡発生装置において、ケースの後半部に管部が設けられ、この管部の一端に組み付け部が設けられ、該管部内に収容空間が設けられ、この後半部の組み付け部内に管部内の収容空間と連通する作動空間が設けられ、この収容空間と作動空間の間に放置部があり、該放置部とバルブの間に防水リング設置されたことを特徴とする、アロマ気泡発生装置としている。
　請求項６の考案は、請求項１記載のアロマ気泡発生装置において、バルブがバルブ片を具え、該バルブ片の一端面に複数の仕切り板が設けられ、バルブ片の別端面に凸部が設けられ、該凸部内に凹部が設けられ、この凹部内にガイドロッド部が設けられたことを特徴とする、アロマ気泡発生装置としている。
　請求項７の考案は、請求項１記載のアロマ気泡発生装置において、弾性体がバネとされたことを特徴とする、アロマ気泡発生装置としている。
　請求項８の考案は、請求項１記載のアロマ気泡発生装置において、挟持機構の二つの片体の射出成形時に二つの片体の一端が接合され、これにより二つの片体の間にアロマシートを挟持する挟持機構が形成されたことを特徴とする、アロマ気泡発生装置としている。
【考案の効果】
【０００７】
　本考案は浴槽中に香りを有するアロマ気泡を発生させ、マッサージとアロマ効果を達成することができる。
【考案を実施するための最良の形態】
【０００８】
　本考案のアロマ気泡発生装置は、ケース、該ケース内部に配置されたバルブ、該ケース内部に配置されて該バルブに組み付けられる弾性体、該ケース内部に配置されてバルブの一端に位置する挟持機構を具え、組立完成後に送風装置に連接され、該送風装置がケースの一端より風を送り込んでバルブを押し開く時、挟持機構により挟持されたアロマシートのアロマ成分がケースのもう一端より送出されて、浴槽中に香りを有するアロマ気泡を発生させ、マッサージとアロマ効果を達成する。
【実施例１】
【０００９】
　図１の本考案の立体断面図、図２の本考案の分解図に示されるように、本考案のアロマ気泡発生装置は、ケース１、該ケース１内部に配置されたバルブ４、該ケース１内部に配置されて該バルブ４に組み付けられる弾性体５、該ケース１内部に配置されてバルブ４の一端に位置する挟持機構６で組成され、前述のアロマ気泡発生装置の組立が完成した後、、送風装置７に連接され、該送風装置７の送風によりケース１内部の挟持機構６に挟持されたアロマシート６５のアロマを浴槽中に送り気泡を発生させ、マッサージとアロマの効果を達成する。
【００１０】
　上述のケース１は前半部２と後半部３で組成され、該前半部２に内管２１が設けられ、この内管２１が中空状態のチャネル２２を具え、該内管２１を囲むように外管２３が設けられて内管２１との間に接合部２４が形成されている。また、該外管２３の一端に組み付け部２５が連設され、この組み付け部２５内に前述のチャネル２２と連通する作動空間２６が形成され、この作動空間２６にストッパ部２７設けられ、このストッパ部２７に凹部２８が設けられ、該凹部２８に該チャネル２２と連通する貫通孔２９が設けられている。また、該後半部３に管部３１が設けられ、この管部３１の一端に前述の組み付け部２５と接合される組み付け部３２が連設され、該管部３１内に収容空間３３があり、組み付け部３２内部に該収容空間３３と連通する作動空間３４が形成され、二つの収容空間３３、３４の間に放置部３５が形成されて、放置部３５の底面とバルブ片４１との間に防水リング４６が設けられ、該放置部３５が上述のバルブ４に組み付けられ、前半部２、後半部３が組み合わされた後、二つの作動空間２６、３４がバルブ４の動作空間を形成する。
【００１１】
　該バルブ４は、バルブ片４１を具え、このバルブ片４１の一端面に上述の収容空間３３に位置する複数の仕切り板４２が設置され、バルブ片４１の別端面に凸部４３が設置され、この凸部４３内に凹部４４があり、上述のストッパ部２７の凹部２８と凸部４３の凹部４４間に弾性体５が組み合わされる。別に凸部４３内の凹部４４に貫通孔２９を貫通するガイドロッド部４５が設けられている。
【００１２】
　該弾性体５は上述のガイドロッド部４５に套設され並びに二つの凹部２８、４４の間に位置し、弾性体５自身の弾性により上述のバルブ４の開閉動作を制御できる。
【００１３】
　該挟持機構６は二つの片体６１、６２で組成され（図３参照）、それは上述の収容空間３３中に配置され、且つ各片体６１、６２がそれぞれ貫通孔６３、６４を具え、二つの片体６１、６２がアロマシート６５を挟持する時、該アロマシート６５のアロマが前述の貫通孔６３、６４より発散される。こうして前述の構造により本考案のアロマ気泡発生装置が完成する。
【００１４】
　図４は本考案の立体断面図であり図５は本考案の風の流動方向を示す。図示されるように、本考案のアロマ気泡発生装置の組立が完成し使用される時は、風が後半部３の収容空間３３より送り込まれ、この風によりバルブ４が開かれ、この時バルブ４が弾性体５を圧縮し、バルブ４のバルブ片４１が放置部３５より離れる。これにより風が収容空間３３より作動空間２６、前半部２のチャネル２２を通った後に前半部２の外部に排出される。さらに風の流動過程で、アロマシート６５のアロマが併せて前半部２のチャネル２２よりケース１の外部に排出される。
【００１５】
　図６は本考案の使用状態表示図である。図示されるように、本考案のアロマ気泡発生装置は使用時に、該ケース１の後半部３の管部３１が送風装置７の送出口７１に組み付けられ、前半部２と輸送管７２が接続され、輸送管７２の一端にパネル７３が組み付けられる。送風装置７が起動される時、その発生する風はアロマ気泡発生装置の内部に送られ（アロマ気泡発生装置内部の動作は前述したとおりである）、風の流動によりアロマ気泡発生装置内部のアロマシート６５のアロマが併せて輸送管７２に送られ、輸送管７２によりパネル７３に送られる。このときパネル７３に設けられた複数の送出口７４がアロマを含む気体を放出する。パネル７３が浴槽内部に置かれる時、パネル７３より放出される気泡はアロマを付帯し、浴槽内にアロマ効果を有するマッサージ効果を現出させる。
【００１６】
　さらに、上述の挟持機構６の二つの片体６１、６２は射出成形時に、一端が一体に接合され、アロマシート６５に対する挟持力を具えた挟持機構６が形成される。
【００１７】
　以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００１８】
【図１】本考案の立体断面図である。
【図２】図１の分解図である。
【図３】本考案の挟持機構の拡大図である。
【図４】本考案の側面動作表示図である。
【図５】本考案の風の流動表示図である。
【図６】本考案の使用状態表示図である。
【符号の説明】
【００１９】
１　ケース
２　前半部
３　後半部
２１　内管
２２　チャネル
２３　外管
２４　接合部
２５、３２　組み付け部
２６、３４　作動空間
２７　ストッパ部
２８、４４　凹部
３１　管部
３３　収容空間
３５　放置部
４　バルブ
４１　バルブ片
４２　仕切り板
４３　凸部
４５　ガイドロッド部
４６　防水リング
５　弾性体
６　挟持機構
６１、６２　片体
６３、６４　貫通孔
６５　アロマシート
７　送風装置
７１、７４　送出口
７２　輸送管
７３　パネル
【図１】
0003099664.tif 000003
【図２】
0003099664.tif 000004
【図３】
0003099664.tif 000005
【図４】
0003099664.tif 000006
【図５】
0003099664.tif 000007
【図６】
0003099664.tif 000008